(57)【要約】【課題】金属折板からなる横葺屋根用の屋根材において、積雪時に屋根材相互の嵌合部に緩む方向の力が作用せず、また、耐風強度を向上させた、屋根材を提供することを目的とする。【解決手段】棟側に配置される棟側嵌合部と軒側に配置される軒側嵌合部を有し、金属折板からなる相互に嵌合させて形成する横葺屋根用の屋根材であって、棟側嵌合部が軒方向に開口する凹部を、軒側嵌合部が棟方向に突出する突出部をそれぞれ有し、第一の屋根材の前記凹部に第二の屋根材の前記突出部が嵌合自在であり、さらに、前記突出部より表方向に向けて立ち上がる立ち上げ部が形成されたことを特徴とする。【選択図】図１
2011089394.tif 000002
【特許請求の範囲】
【請求項１】
棟側に配置される棟側嵌合部と軒側に配置される軒側嵌合部を有し、金属折板からなる相互に嵌合させて形成する横葺屋根用の屋根材であって、
棟側嵌合部が軒方向に開口する凹部を、軒側嵌合部が棟方向に突出する突出部をそれぞれ有し、第一の屋根材の前記凹部に第二の屋根材の前記突出部が嵌合自在であり、
さらに、前記突出部より表方向に向けて立ち上がる立ち上げ部が形成され、
前記突出部が、前記立ち上げ部の軒側の面の下縁に連なって、棟方向に曲げられて形成されたことを特徴とする屋根材。
【請求項２】
前記立ち上げ部の軒側の面が、前記突出部に対し略直角または棟方向に傾斜していることを特徴とする請求項１記載の屋根材。
【請求項３】
前記立ち上げ部の棟側の面と軒側の面の間に、補剛用の板状体が配置されたことを特徴とする請求項１または２に記載の屋根材。
【請求項４】
第二の屋根材に設置された前記板状体が、第一の屋根材の前記棟側嵌合部の軒側に当接自在であることを特徴とする請求項３に記載の屋根材。
【請求項５】
前記凹部に、水密用の棒状体が配置されたことを特徴とする請求項１〜４の何れかに記載の屋根材。
【発明の詳細な説明】
【技術分野】
【０００１】
本発明は、建築構造物の金属製の屋根材、特に、落雪防止機能を有す横葺屋根用の屋根材に関する。
【背景技術】
【０００２】
従来、金属板を折り曲げて成形する横葺屋根用の屋根材において、落雪防止機能を奏すため表方向に立ち上げ部が設けられていた。
【０００３】
（従来技術１）図８は、特許文献１に開示された落雪防止機能を有する屋根材の断面図である。図中右方向が棟方向（上方向）、左方向が軒方向（下方向）である。棟側の縁に略Ｓ字状に表方向に突出した上縁被接部１００３が、上縁被接部１００３に連なって中央水平部１０１０が、中央水平部１０１０に連なって三角形状に表方向に突出した突起部１００２が、突起部１００２に連なる軒側水平部１００６が、軒側水平部１００６に連なって、軒側の縁に略Ｖ字状の下縁被接部１００１がそれぞれ形成されている。
【０００４】
したがって、軒側に設置された第一の屋根材の上縁被接部１００３に、第二の屋根材の下縁被接部１００１を嵌合して屋根を葺くことができる。また、突起部１００２の棟側面が積雪の滑動を静止することで落雪を防止し、かつ、突起部１００２の軒側面が積雪の滑落圧を支える。
【０００５】
（従来技術２）図９は、特許文献２に開示された落雪防止機能を有する屋根材の断面図である。図中右方向が棟方向（上方向）、左方向が軒方向（下方向）である。棟側に略Ｓ字状に表方向に突出した上縁被接部２００４が、上縁被接部２００４に連なって中央水平部２０１０が、中央水平部２０１０に連なって三角形状に表方向に突出した突起部２００２が、突起部２００２に連なって軒側水平部２００６が、軒側水平部２００６に連なって、軒側の縁に略Ｕ字状の下縁被接部２００１がそれぞれ形成されている。
【０００６】
したがって、軒側に設置された第一の屋根材の上縁被接部２００４に、第二の屋根材の下縁被接部２００１を嵌合して屋根を葺くことができる。また、突起部２００２の棟側面が積雪の滑動を静止することで落雪を防止し、かつ、突起部２００２の軒側面が積雪の滑落圧を支える。さらに、軒側水平部２００６を下地面から離すことで空気層を確保している。
【０００７】
（従来技術３）図１０は、特許文献３に開示された落雪阻止機能を有する横葺用長尺屋根板一部を示す斜視図である。図中左方向が棟方向（上方向）、右方向が軒方向（下方向）である。棟側の縁に略垂直に折り曲げられた補強用立ち上げ部３０１１が、補強用立ち上げ部３０１１に連なって所定幅の先端水平部３０２１が、先端水平部３０２１に連なってＵ字状の棟側被接部３００２が、棟側被接部３００２に連なって中央水平部３０２２が、中央水平部３０２２に連なって台形状の落雪阻止用突出部３００５が、落雪阻止用突出部３００５に連なって軒側水平部３０２３が、軒側水平部３０２３の軒側の縁部にＵ字状の軒側被接部３００１がそれぞれ形成されている。
【０００８】
したがって、軒側に設置された第一の屋根材の棟側被接部３００２に、第二の屋根材の軒側被接部３００１を嵌合して屋根を葺くことができる。また、嵌着した補強用立ち上げ部３０１１により補剛された落雪阻止用突出部３００５が落雪阻止機能を発揮する。
【先行技術文献】
【特許文献】
【０００９】
【特許文献１】実用新案登録第３００８８６８号公報
【特許文献２】実用新案登録第３０２０３７９号公報
【特許文献３】特開２０００−２８２６３０号公報
【発明の概要】
【発明が解決しようとする課題】
【００１０】
しかしながら、従来技術においては、積雪の滑落圧を支える突起部１００２、２００２あるいは落雪阻止用突出部３００５（以下、立ち上げ部と総称する）の軒側（下方）に軒側水平部１００６、２００６あるいは３０２３を有し、軒側水平部１００６、２００６あるいは３０２３の軒側の縁に下縁被接部１００１、２００１あるいは軒側被接部３００１（以下、軒側嵌合部と総称する）が配置されているため、以下のような問題があった。
【００１１】
図１１は、従来技術における、立ち上げ部の状況を説明する断面図である。図１１において、図中左方向が棟方向（上方向）、右方向が軒方向（下方向）であって、軒側に設置された第一の屋根材４０００の棟側嵌合部に、第二の屋根材５０００の軒側嵌合部を嵌合して屋根が葺かれている前記棟側嵌合部は、略Ｓ字状であって、棟側の縁に設置された先端水平部４００１（図中、辺ａｂ）と、先端水平部４００１に連なって軒側に傾斜して表方向に曲げられた傾斜部４００２（図中、辺ｂｃ）と、傾斜部４００２に連なる棟側水平部４００３（図中、辺ｃｄ）と、棟側水平部４００３に連なって裏方向に曲げられた棟先垂直部４００４（図中、辺ｄｅ）と、棟先垂直部４００４に連なって棟方向および軒方向に曲げられた凹部４００５（図中、辺ｅｆと辺ｆｇにて形成されている）を有している。
【００１２】
一方、前記軒側嵌合部は、中央水平部５００６（図中、辺ｓｔ）と、中央水平部５００６に連なる立ち上げ部５００７（図中、辺ｔｕと辺ｕｖにて形成されている）と、立ち上げ部５００７に連なる軒側水平部５００８（図中、辺ｖｘ）と、軒側水平部５００８に連なって裏方向に折り曲げられた軒側垂直部５００９（図中、辺ｘｙ）と、軒側に連なって略棟方向に曲げられた突出部５０１０（図中、辺ｙｚ）を有している。
【００１３】
そして、凹部４００５に突出部５０１０が嵌合している、換言すると、軒側水平部５００８と軒側垂直部５００９と突出部５０１０によって形成された懐部（図中、辺ｖｘと辺ｘｙと辺ｙｚにて形成されている）に、棟側水平部４００３と棟先垂直部４００４と凹部４００５によって形成された突起部（図中、辺ｃｄと辺ｄｅと辺ｅｆにて形成されている）が収納され、凹部４００５の表側の面（図中、辺ｅｆ）に突出部５０１０（図中、辺ｙｘ）が水密的に当接している。
【００１４】
したがって、積雪が軒方向に滑動しようとすると、雪の荷重は立ち上げ部５００７に作用し、立ち上げ部５００７は、水平方向（軒側）に押出される力と、折り曲げ部ｔを支点として軒側に倒されることになる。このとき、軒側水平部５００８は、軒方向に押し出される応力が発生し、突出部５０１０と凹部４００５の嵌合部に隙間を生じる応力が発生することになる。
【００１５】
さらに、屋根板を構成する原板の板厚が薄いために、屈曲部ｖが形状を保持した状態で、屈曲部ｖを支点として軒側水平部５００８の棟側部分が裏方向に沈み込む方向に回転し、該回転力の反力として、突出部５０１０の先端（図中、位置ｚ）が、開く方向の応力が発生する。
【００１６】
したがって、嵌合部が外れるまでには至らないが、嵌合部が若干開くことによって防水上の問題が生じる恐れがあり、この状態で、屋根面の雪が融解し、軒先で再凍結した場合には「すが漏れ」の危険が通常より高くなる。なお、従来技術３にあるような、紐状の防水パッキン材を嵌合部に押し入れた場合においても、防水パッキン材の効果を低下させる方向の応力が作用するため、防水性が悪化する可能性があるとの問題は解消されない。
【００１７】
また、従来技術３において、立ち上げ部３００５を補強用立ち上げ部３０１１により補剛した場合には、雪による立ち上げ部の倒れに対する強度は向上するが、前記防水性が悪化する方向に応力が発生するとの問題は解消されない。また、施工性が従来技術１、２と比較して悪化している問題もある。すなわち、軒側嵌合部３００１が横にスライドさせて嵌合させるのに適した形態であるのに対し、補強用立ち上げ部３０１１は垂直に構成され、垂直に設けられた立ち上げ部３００５内部に挿入する構造であるため、屋根材同士を嵌合する際、軒側嵌合部３００１の先端を引っかけ、補強用立ち上げ部３０１１を前方に倒すか、立ち上げ部３００５を開いてはめ込む等の方法で施工する必要が生じ、施工上の手間となる。また、立ち上げ部３００５の補剛により当該部分の倒れに対する強度は向上しているが、補強用立ち上げ部３０１１の板厚が屋根材同様薄く、かつ、前記嵌合部に発生する応力の向きは変わらないから、改善効果はあるものの、防水上の危険性を依然として内包している。
【００１８】
図１２は、従来技術における、屋根材に負圧が作用した場合の状況を模式的に説明する断面図である。図１２において、図中左方向が軒方向（下方向）、右方向が棟方向（上方向）であって、軒側から棟方向に向けて（図中、左から右に向けて）第一の屋根材６０００、第二の屋根材７０００、第三の屋根材８０００が葺かれている。
【００１９】
第一の屋根材６０００は、棟側の縁に設けた先端水平部６００１において、設置用釘６０２１により野地板９９９９に固定されている。
【００２０】
第二の屋根材７０００は、その軒側嵌合部７０３０が第一の屋根材６０００の棟側嵌合部６０２０に嵌合され、その棟側の縁に設けた先端水平部７００１において、設置用釘７０２１により野地板９９９９に固定されている。
【００２１】
第三の屋根材８０００は、その軒側嵌合部８０３０が第二の屋根材７０００の棟側嵌合部７０２０に嵌合されている。
【００２２】
したがって、第二の屋根材７０００は風圧力が負圧に作用した場合、棟側嵌合部７０２０および軒側嵌合部７０３０を支点として、太鼓状に変位する方向に荷重が作用する（図中、矢印にて示す）。このとき、変位量は、屋根材７０００の剛性が低いほど、支点間距離が大きいほど、支点の回転拘束力が弱いほど大きくなる。特に、これら支点の中間部に立ち上げ部７００５が設置され、また、板厚も薄いため、前記立ち上げ部に構造上変位および回転が自由な支点が存在することになり、立ち上げ部のないものと比較して変位量が増大する傾向にある。そのため、前記嵌合部の緩みないし変形のおそれが生じ、雨仕舞いの悪化あるいは屋根が破損するとの問題がある。
【００２３】
この発明は、以上の問題を解決するためになされたものであって、屋根材相互の嵌合部に緩む方向の力が作用しない、屋根材を提供することを目的とする。
【課題を解決するための手段】
【００２４】
このような課題を解決するための本発明の屋根材は、以下のとおりである。
【００２５】
［１］棟側に配置される棟側嵌合部と軒側に配置される軒側嵌合部を有し、金属折板からなる相互に嵌合させて形成する横葺屋根用の屋根材であって、棟側嵌合部が軒方向に開口する凹部を、軒側嵌合部が棟方向に突出する突出部をそれぞれ有し、第一の屋根材の前記凹部に第二の屋根材の前記突出部が嵌合自在であり、さらに、前記突出部より表方向に向けて立ち上がる立ち上げ部が形成され、前記突出部が、前記立ち上げ部の軒側の面の下縁に連なって、棟方向に曲げられて形成されたことを特徴とする屋根材。
【００２６】
［２］前記［１］において、前記立ち上げ部の軒側の面が、前記突出部に対し略直角または棟方向に傾斜していることを特徴とするものである。
【００２７】
［３］前記［１］または［２］において、前記立ち上げ部の棟側の面と軒側の面の間に、補剛用の板状体が配置されたことを特徴とするものである。
【００２８】
［４］前記［３］において、第二の屋根材に設置された前記板状体が、第一の屋根材の前記棟側嵌合部の軒側に当接自在であることを特徴とするものである。
【００２９】
［５］前記［１］〜［４］の何れかにおいて、前記凹部に、水密用の棒状体が配置されたことを特徴とするものである。
【発明の効果】
【００３０】
以上述べた本発明の屋根材によれば、以下のような顕著な効果が得られる。
１）雪の荷重により、屋根材同士の嵌合部が、より緊密に嵌合する力を受けるため、水密性が保証され、すが漏れのおそれが低減する。
２）幅方向の二箇所で嵌合する場合には、風圧力が負圧に作用した際、太鼓状の変位が抑えられため、嵌合部の緩みないし変形のおそれが減少し、雨仕舞いの悪化や屋根が破損するおそれが低減する。
【図面の簡単な説明】
【００３１】
【図１】本発明に係わる屋根材の一実施の形態を示す幅方向の断面図である。
【図２】本発明に係わる屋根材の一実施の形態を施工する方法を示す幅方向の断面図である。
【図３】本発明に係わる屋根材の一実施の形態における作用を説明する幅方向の断面図である。
【図４】本発明に係わる屋根材の他の実施の形態を示す幅方向の断面図である。
【図５】本発明に係わる屋根材の他の実施の形態を施工する方法を示す幅方向の断面図である。
【図６】本発明に係わる屋根材の他の実施の形態における作用を説明する幅方向の断面である。
【図７】本発明に係わる屋根材の他の実施の形態における設置状況を示す幅方向の断面図である。
【図８】従来の落雪防止機能を有する屋根材の断面図である。
【図９】従来の落雪防止機能を有する屋根材の断面図である。
【図１０】従来の落雪阻止機能を有する横葺用長尺屋根板一部を示す斜視図である。
【図１１】従来技術における、立ち上げ部の状況を説明する断面図である。
【図１２】従来技術における、屋根材に負圧が作用した場合の状況を模式的に説明する断面図である。
【発明を実施するための形態】
【００３２】
［実施の形態１］
（屋根材）図１は、本発明に係わる屋根材の一実施の形態を示す幅方向の断面図であって、左方向が棟方向（上方向）、右方向が軒方向（下方向）である。なお、以下説明において、図１の（ａ）に示す実施の形態と同じ部分には、符号の一桁目に同じ符号を付し、一部の説明を省略する。
【００３３】
図１の（ａ）において、棟側には、棟側の縁に先端水平部１（図中、辺ＡＢ）と、先端水平部１に連なって軒側に傾斜して表方向に曲げられた棟側傾斜部２（図中、辺ＢＣ）と棟側傾斜部２に連なる棟側水平部３（図中、辺ＣＤ）と、棟側水平部３に連なって裏方向に曲げられた棟側垂直部４（図中、辺ＤＥ）と、棟側垂直部４に連なって棟方向および軒方向に曲げられた凹部５（図中、辺ＥＦと辺ＦＧにて形成されている）と、凹部５に連なる中央水平部６（図中、辺ＧＴ）が形成されている。
【００３４】
軒側には、中央水平部６に連なって表方向に曲げられた軒側傾斜部７（図中、辺ＴＵ）と、軒側傾斜部７に連なる軒側水平部８（図中、辺ＵＷ）と、軒側水平部８に連なって、表方向に突出する立ち上げ部９（図中、棟側の面９Ｗ（図中、辺ＷＸ）と軒側の面９Ｙ（図中、辺ＸＹ）によって形成されている）と、立ち上げ部９の軒側の面９Ｙの下縁に連なって、棟方向に曲げられた突出部１０（図中、辺ＹＺ）が形成されている。
【００３５】
そして、一方の屋根材の前記凹部５に、他方の屋根材の突出部１０が嵌合自在である。換言すると、他方の屋根材の軒側傾斜部７と軒側水平部８と軒側の面９Ｙの一部と突出部１０によって形成された懐部（図中、辺ＴＵと辺ＵＷと辺ＸＹと辺ＹＺにて形成されている）に、一方の屋根材の棟側傾斜部２と棟側水平部３と棟側垂直部４と凹部５によって形成された突起部（図中、辺ＢＣと辺ＣＤと辺ＤＥと辺ＥＦにて形成されている）が、収納自在である。
【００３６】
また、該収納状態において、一方の屋根材の棟側水平部３の表面に、他方の屋根材の軒側水平部８の裏面が当接すれば、この棟側水平部３の剛性が大きくなる。ただし、本発明は該当接するものに限定するものではなく、棟側水平部３の表面と他方の屋根材の軒側水平部８の裏面の間に隙間があってもよい。
【００３７】
さらに、本発明は棟側水平部３および軒側水平部８が、中央水平部６に略平行であるものに限定するものではなく、棟側あるいは軒側に傾斜してもよく、また、棟側水平部３と軒側水平部８が相互に略平行でなくてもよい。
【００３８】
さらに、棟側傾斜部２と棟側水平部３、あるいは軒側傾斜部７と軒側水平部８が、それぞれ連続した曲線または直線によって形成されてもよい。
【００３９】
なお、突出部１０の先端縁（図中、位置Ｚ）は、略Ｕ字状に折り返したものに限定するものではなく、略Ｓ形状、略Ｌ字状、その他の形状でも良い。また、先端水平部１の先端縁（図中、位置Ａ）は、平坦な一枚板のままに限定するものではなく、略Ｌ字状に折り曲げたもの、あるいは略Ｕ字状または略Ｖ字状に折り返してもよい。
【００４０】
図１の（ａ）は、立ち上げ部９の軒側の面９Ｙ（図中、辺ＸＹ）が突出部１０（図中、辺ＹＺ）に略垂直で、立ち上げ部９の棟側の面９Ｗ（図中、辺ＷＸ）が立ち上げ部９の軒側の面９Ｙに略平行であって、棟側水平部３および軒側水平部８が、中央水平部６に平行のものを示す。
【００４１】
図１の（ｂ）は、軒側の面１９Ｙが突出部２０に対し棟側に傾斜し、棟側の面１９Ｗが略垂直（中央水平１６に略垂直）で、三角形状の立ち上げ部１９を形成したものを示す。
【００４２】
図１の（ｃ）は、軒側の面２９Ｙが突出部３０に対し（中央水平２６に対するのと同じ）棟側に傾斜し、棟側の面２９Ｗが軒側の面２９Ｙに略平行であって、さらに、棟側水平部２３と軒側水平部２８が、棟側に傾斜したものを示す。
【００４３】
図１の（ｄ）は、軒側の面３９Ｙが突出部４０に対し（中央水平３６に対するのと同じ）棟側に傾斜し、棟側の面３９Ｗ（図中、辺ＷＸ）も棟側にさらに傾斜し、三角形状の立ち上げ部３９を形成し、さらに、棟側水平部３３と軒側水平部３８が、棟側に傾斜して、それぞれ、棟側傾斜部３２と軒側傾斜部３７と同じ傾きを有し、棟側傾斜部３２と棟側水平部３３、および軒側傾斜部３７と軒側水平部３８が、それぞれ連続した直線によって形成されたものを示す。
【００４４】
（施工方法）図２は、本発明に係わる屋根材の一実施の形態を施工する方法を示す幅方向の断面図であって、左方向が棟方向（上方向）、右方向が軒方向（下方向）である。なお、図２中の符号の下二桁は、図１の（ａ）で説明したものと同じ部分については、図１の（ａ）と同じ符号を付し、一部の説明を省略する。
【００４５】
図２の（ａ）において、第一の屋根材１００が野地板９９９に葺かれている。このとき、先端水平部１０１において、設置用釘１１１が、第一の屋根材１００を貫通して野地板９９９に打設されている。そして、第二の屋根材２００が第一の屋根材１００の棟側に配置される。
【００４６】
図２の（ｂ）において、第一の屋根材１００の凹部１０５の位置に、第二の屋根材２００の突出部２１０を合わせる。このとき、第一の屋根材１００の棟側水平部１０３の上に、第二の屋根材２００の軒側水平部２０８が重さなっている。
【００４７】
図２の（ｃ）において、第二の屋根材２００を棟方向に移動させることにより、第一の屋根材１００の凹部１０５に第二の屋根材２００の突出部２１０を嵌入させる。そして、図示しない先端水平部２０１において、図示しない設置用釘２１１を、第二の屋根材２００を貫通して野地板９９９に打設する。このとき、第一の屋根材１００の棟側水平部１０３の表面（図中、辺ＣＤ）と第二の屋根材２００の軒側水平部２０８の裏面（図中、辺ＵＷ）が当接し、第一の屋根材１００の凹部１０５の表側（図中、辺ＥＦ）と第二の屋根材２００の突出部２１０の表面（図中、辺ＹＺ）が当接している。
【００４８】
（作用）図３は、本発明に係わる屋根材の一実施の形態における作用を説明する幅方向の断面図であって、左方向が棟方向（上方向）、右方向が軒方向（下方向）である。なお、図３中の符号の下二桁は、図１の（ａ）または図２で説明したものと同じ部分については、これらと同じ符号を付し、一部の説明を省略する。
【００４９】
図３において、積雪が軒方向に滑動しようとすると、雪の荷重は立ち上げ部２０９に作用し、立ち上げ部２０９は、折り曲げ位置Ｗを支点として軒側に倒される方向に力を受ける。このとき、立ち上げ部２０９の軒側の面２０９Ｙに連なる突出部２１０は、折り曲げ位置Ｗを中心に回転しようとする。したがって、突出部２１０は、凹部１０５の奥にさらに入り込む力を受け、さらに、凹部１０５の表側の面（図中、辺ＥＦ）を表方向に押し上げようとする。
【００５０】
すなわち、雪の荷重により、突出部２１０と凹部１０５の嵌合はさらに緊密となり、水密性が悪化することがない。
【００５１】
［実施の形態２］
（屋根材）図４は、本発明に係わる屋根材の他の実施の形態を示す幅方向の断面図であって、左方向が棟方向（上方向）、右方向が軒方向（下方向）である。図４において、屋根材は、図１（実施の形態１）に示すものに、先端嵌合部６０および中間嵌合部７０を配置したものである。
【００５２】
すなわち、棟側には、棟側の縁に先端水平部４１（図中、辺ＡＢ）と、先端水平部４１に連なって軒側に傾斜して表方向に曲げられた棟側傾斜部４２（図中、辺ＢＣ）と棟側傾斜部４２に連なる棟側水平部４３（図中、辺ＣＤ）と、棟側水平部４３に連なって裏方向に曲げられた棟側垂直部４４（図中、辺ＤＥ）と、棟側垂直部４４に連なって棟方向および軒方向に曲げられた凹部４５（図中、辺ＥＦと辺ＦＧにて形成されている）と、凹部４５に連なる中央水平部４６（図中、辺ＧＴ）が形成されている。
【００５３】
一方、軒側には、中央水平部４６に連なって表方向に曲げられた軒側傾斜部４７（図中、辺ＴＵ）と、軒側傾斜部４７に連なる軒側水平部４８（図中、辺ＵＷ）と、軒側水平部４８に連なって、表方向に突出する立ち上げ部４９（図中、棟側の面４９Ｗ（図中、辺ＷＸ）と軒側の面４９Ｙ（図中、辺ＸＹ）によって形成されている）と、立ち上げ部４９の軒側の面４９Ｙの下縁（図中、位置Ｙ）に連なって、棟方向に曲げられた突出部５０（図中、辺ＹＺ）が形成されている。
【００５４】
先端嵌合部６０は、先端水平部４１（図中、辺ＡＢ）の一部と、先端水平部４１の棟側の縁で表方向に向けて曲げられた先端垂直部６１（図中、辺ＡＮ）と、先端垂直部６１に連なり軒側に折り返された先端折り返し部６２（図中、辺ＮＯ）により形成されている。
【００５５】
そして、中央嵌合部７０は、中央水平部４６の棟側の部分（図中、辺ＧＨ）に連なり軒側に傾斜して表方向に曲げられた中央傾斜部７２（図中、辺ＨＩ）と中央傾斜部７２に連なる中央水平部７３（図中、辺ＩＪ）と、中央水平部７３に連なって裏方向に曲げられた中央垂直部７４（図中、辺ＪＫ）と、中央垂直部７４に連なって棟方向および軒方向に曲げられた中央突出部７５（図中、辺ＫＬと辺ＬＭにて形成されている）により形成されている。なお、中央突出部７５の裏側の面（図中、辺ＬＭ）は、中央水平部４６の軒側の部分（図中、辺ＭＴ）に連なっている。
【００５６】
このとき、先端垂直部６１と棟側垂直部４４との水平距離（図中、水平距離ＡＥ）が、中間突出部７５の先端と立ち上げ部４９の軒側の面４９Ｙとの水平距離（図中、水平距離ＬＹ）に略等しい。したがって、一方の屋根材の凹部４５および先端嵌合部６０に、他方の屋根材の突出部５０および中央突出部７５がそれぞれ嵌合自在である。
【００５７】
なお、中央突出部７５は、先端折り返し部６２（図中、辺ＮＯ）または先端水平部４１（図中、辺ＡＢ）の一部の何れに当接してもよい。また、これに代えて、先端折り返し部６２（図中、辺ＮＯ）が、中央嵌合部７０の中央水平部７３（図中、辺ＩＪ）または中央突出部７５の表側の面（図中、辺ＫＬ）の何れにかに当接してもよい。
（施工方法）図５は、本発明に係わる屋根材の他の実施の形態を施工する方法を示す幅方向の断面図であって、左方向が棟方向（上方向）、右方向が軒方向（下方向）である。なお、図５中の符号の下二桁は、図４で説明したものと同じ部分については、図４と同じ符号を付し、一部の説明を省略する。
【００５８】
図５の（ａ）において、第一の屋根材３００が野地板９９９に葺かれている。このとき、先端水平部３４１において、設置用釘３５１が、第一の屋根材３００を貫通して野地板９９９に打設されている。そして、第二の屋根材４００が第一の屋根材３００の棟側に配置される。
【００５９】
図５の（ｂ）において、第一の屋根材３００の凹部３４５の位置に、第二の屋根材４００の突出部４５０を合わせる。このとき、第一の屋根材３００の先端水平部３４１に、第二の屋根材４００の中央嵌合部４７０を載置する。
【００６０】
図５の（ｃ）において、第二の屋根材４００を棟方向に移動させることにより、第一の屋根材３００の先端嵌合部３６０および凹部３４５に、第二の屋根材４００の中間嵌合部４７０の中央突出部４７５および突出部４５０がそれぞれ嵌合する。そして、図示しない先端水平部４４１において、図示しない設置用釘４５１を、第二の屋根材４００を貫通して野地板９９９に打設する。
【００６１】
（作用）図６は、本発明に係わる屋根材の一実施の形態における作用を説明する幅方向の断面図であって、左方向が棟方向（上方向）、右方向が軒方向（下方向）である。なお、図５で説明したものと同じ部分については、これと同じ符号を付し、一部の説明を省略する。
【００６２】
図６において、軒側から棟方向に向けて第一の屋根材３００、第二の屋根材４００、第三の屋根材５００が葺かれている。
【００６３】
第一の屋根材３００は、先端水平部３４１において、設置用釘３５１により野地板９９９に固定されている。
【００６４】
第二の屋根材４００は、その突出部４５０および中央突出部４７５が、第一の屋根材３００の凹部３４５および先端嵌合部３６０にそれぞれ嵌合し、先端水平部４４１において、設置用釘４５１により野地板９９９に固定されている。
【００６５】
第三の屋根材５００は、その突出部５５０および中央突出部５７５が、第二の屋根材４００の凹部４４５および先端嵌合部４６０にそれぞれ嵌合し、図示しない先端水平部５４１において、図示しない設置用釘５５１により野地板９９９に固定されている。
【００６６】
したがって、第二の屋根材４００は風圧力が負圧に作用した場合、凹部４４５と中間嵌合部４７０を支点として、太鼓状に変位する方向に荷重（図中、矢印にて表示）が作用する。なお、仮に中間嵌合部４７０が配置されていない場合には、凹部４４５と突出部４５０を支点として太鼓状に変位することになるから、中間嵌合部４７０が配置されたことにより、該支点間距離が大幅に減少し、前記変位量が減少する。よって、前記嵌合部の緩みないし変形のおそれが減少し、雨仕舞いが悪化するとの問題が解消する。
【００６７】
［実施の形態３］
（屋根材の設置状況）図７は、本発明に係わる屋根材の他の実施の形態における設置状況を示す幅方向の断面図であって、左方向が棟方向（上方向）、右方向が軒方向（下方向）である。なお、図１および図２で説明した実施の形態１と同じ部分には、これと同じ符号を付し、一部の説明を省略する。
【００６８】
図７の（ａ）において、第二の屋根材２００の立ち上げ部２０９の内側にアクリル板からなる板状体８０（厚さ５ｍｍ）を配置している。すなわち、板状体８０は、立ち上げ部２０９の棟側の面２０９Ｗと軒側の面２０９Ｙに挟まれ、さらに、第一の屋根材１００の棟側垂直部１０４（図中、辺ＤＥ）に当接している。
【００６９】
したがって、雪の荷重により立ち上げ部２０９が、折り曲げ位置Ｗを支点として軒側に倒される力が働く際、立ち上げ部２０９は板状体８０により補剛されており、板状体８０は、第一の屋根材１００の棟側垂直部１０４（図中、辺ＤＥ）に強く押し付けられて回転に対して抵抗するため、折り曲げ位置Ｗ部分で立ち上げ部２０９が倒される事がなくなる。また、突出部２１０は、凹部１０５の奥にさらに入り込む方向に力を受け、かつ、凹部１０５の表側の面（図中、辺ＥＦ）を表方向に押し上げようとする。
【００７０】
すなわち、雪の荷重により、立ち上げ部２０９が倒されて落雪防止機能が低下するのを防止し、さらに、突出部２１０と凹部１０５の嵌合はさらに緊密となり、水密性が向上し、雨仕舞いが悪化するおそれが低減する。
【００７１】
なお、板状体８０はアクリル板に限定するものではなく、その他のプラスチック板、アルミニウム等の金属板、木材等であっても同様の効果がある。また、板状体８０の厚さは立ち上げ部２０９内部に収納自在であって、内法幅以下であり、その高さは、軒側の面２０９Ｙの高さ（図中、高さＸＹ）以下、少なくとも軒側の面２０９Ｙの高さ１／２以上の高さが望ましい。
【００７２】
図７の（ｂ）において、第一の屋根材１００の凹部１０５に棒状体９０を配置している。すなわち、棒状体９０は、凹部１０５の底に第二の屋根材２００の突出部２１０により押し込まれている。したがって、雪の荷重により立ち上げ部２０９が、折り曲げ位置Ｗを支点として軒側に倒される方向に力を受ける際、突出部２１０は、凹部１０５の奥にさらに入り込む力を受けるから、棒状体９０は締まり、水密性がさらに向上し、すが漏れのおそれが低減する。
【符号の説明】
【００７３】
１、１１、２１、３１、４１  先端水平部
２、１２、２２、３２、４２  棟側傾斜部
３、１３、２３、３３、４３  棟側水平部
４、１４、２４、３４、４４  棟側垂直部
５、１５、２５、３５、４５  凹部
６、１６、２６、３６、４６  中央水平部
７、１７、２７、３７、４７  軒側傾斜部
８、１８、２８、３８、４８  軒側水平部
９、１９、２９、３９、４９  立ち上げ部
９Ｗ、１９Ｗ、２９Ｗ、３９Ｗ、４９Ｗ  棟側の面
９Ｙ、１９Ｙ、２９Ｙ、３９Ｙ、４９Ｙ  軒側の面
１０、２０、３０、４０、５０  突出部
６０  先端嵌合部
６１  先端垂直部
６２  先端折り返し部
７０  中央嵌合部
７２  中央傾斜部
７３  中央水平部
７４  中央垂直部
７５  中央突出部
８０  板状体
９０  棒状体
１００  第一の屋根材
１０１  先端水平部
１０３  棟側水平部
１０４  棟側垂直部
１０５  凹部
１０６  中央水平部
１１１  設置用釘
２００  第二の屋根材
２０１  先端水平部
２０６  中央水平部
２０８  軒側水平部
２０９  立ち上げ部
２０９Ｗ  棟側の面
２０９Ｙ  軒側の面
２１０  突出部
２１１  設置用釘
３００  第一の屋根材
３４１  先端水平部
３４３  棟側水平部
３４５  凹部
３５１  設置用釘
３６０  先端嵌合部
４００  第二の屋根材
４４１  先端水平部
４４５  凹部
４４８  軒側水平部
４５０  突出部
４５１  設置用釘
４６０  先端嵌合部
４７０  中央嵌合部
４７２  中央傾斜部
４７３  中央水平部
４７５  中央突出部
５００  第三の屋根材
５４１  先端水平部
５５１  設置用釘
５４５  凹部
５５０  突出部
９９９  野地板
【図１】
2011089394.tif 000003
【図２】
2011089394.tif 000004
【図３】
2011089394.tif 000005
【図４】
2011089394.tif 000006
【図５】
2011089394.tif 000007
【図６】
2011089394.tif 000008
【図７】
2011089394.tif 000009
【図８】
2011089394.tif 000010
【図９】
2011089394.tif 000011
【図１０】
2011089394.tif 000012
【図１１】
2011089394.tif 000013
【図１２】
2011089394.tif 000014